(57)【要約】【課題】  初期化処理されていないディスク状記録媒体を用いることに起因した読み出しエラーが発生してしまうことを確実に回避し得るようにする。【解決手段】  記録再生装置１は、データが既に記録されたことのあるクラスタを示すＳＲＢデータをディスク４に記録するようにしたことにより、このディスク４からデータを読み出す際、ディスク４に記録されたＳＲＢデータに基づいて、データが記録されたことのあるデータ記録済クラスタとデータが記録されたことのないデータ未記録クラスタとを判別することができ、かくして何ら信号を読み出すことができないデータ未記録クラスタにアクセスしてしまうことを確実に回避することができる。【選択図】          図１
2005317148.tif 000002
【特許請求の範囲】
【請求項１】
外部から供給されるデータをディスク状記録媒体に記録する第１の記録手段と、
上記ディスク状記録媒体における記録領域のうち上記第１の記録手段により上記データが既に記録されたデータ記録済部分を示す記録管理情報を上記ディスク状記録媒体に記録する第２の記録手段と
を具えることを特徴とするデータ記録装置。
【請求項２】
上記第２の記録手段は、
上記第１の記録手段が上記外部機器から供給された上記データのうち当該外部機器の処理単位分のデータをディスク状記録媒体に記録し終える度に、上記記録管理情報を上記ディスク状記録媒体に記録する
ことを特徴とする請求項１に記載のデータ記録装置。
【請求項３】
上記第２の記録手段は、
上記第１の記録手段が上記データと共に供給されるＦＡＴ（File Allocation Table）情報を上記ディスク状記録媒体に記録する際、上記外部機器の処理単位分のデータをディスク状記録媒体に記録し終えたと判断し、上記記録管理情報を上記ディスク状記録媒体に記録する
ことを特徴とする請求項２に記載のデータ記録装置。
【請求項４】
データが記録領域に対して記録されると共に上記記録領域のうちのデータ記録済部分を示す記録管理情報が記録されたディスク状記録媒体の上記記録領域に対してアクセスすることにより、上記データを読み出すデータ読出手段と、
上記記録管理情報に基づいて認識した上記記録領域のうちのデータ未記録部分に対し、上記データ読出手段がアクセスしないように当該データ読出手段を制御する制御手段と
を具えることを特徴とするデータ読出装置。
【請求項５】
上記制御手段は、
上記記録領域のうちの上記データ未記録部分からデータを読み出すように命令するデータ読出命令信号が外部機器から入力されると、当該データ未記録部分にアクセスしないように上記データ読出手段を制御すると共に、当該データ未記録部分にデータが記録されていない旨を上記外部機器へ通知する
ことを特徴とする請求項４に記載のデータ読出装置。
【請求項６】
外部から供給されるデータをディスク状記録媒体に記録する第１のステップと、
上記ディスク状記録媒体における記録領域のうち上記第１のステップにより上記データが既に記録されたデータ記録済部分を示す記録管理情報を上記ディスク状記録媒体に記録する第２のステップと
を具えることを特徴とするデータ記録方法。
【請求項７】
上記第２のステップでは、
上記第１のステップで上記外部機器から供給された上記データのうち当該外部機器の処理単位分のデータをディスク状記録媒体に記録し終える度に、上記記録管理情報を上記ディスク状記録媒体に記録する
ことを特徴とする請求項６に記載のデータ記録方法。
【請求項８】
上記第２のステップでは、
上記第１のステップで上記データと共に供給されるＦＡＴ情報を上記ディスク状記録媒体に記録する際、上記外部機器の処理単位分のデータをディスク状記録媒体に記録し終えたと判断し、上記記録管理情報を上記ディスク状記録媒体に記録する
ことを特徴とする請求項７に記載のデータ記録方法。
【請求項９】
データが記録領域に対して記録されると共に上記記録領域のうちのデータ記録済部分を示す記録管理情報が記録されたディスク状記録媒体の上記記録領域に対して、データ読出手段をアクセスさせることにより上記データを読み出す第１のステップと、
上記記録管理情報に基づいて認識した上記記録領域のうちのデータ未記録部分に対し、上記データ読出手段がアクセスしないように当該データ読出手段を制御する第２のステップと
を具えることを特徴とするデータ読出方法。
【請求項１０】
上記第２のステップでは、
上記記録領域のうちの上記データ未記録部分からデータを読み出すように命令するデータ読出命令信号が外部機器から入力されると、当該データ未記録部分にアクセスしないように上記データ読出手段を制御すると共に、当該データ未記録部分にデータが記録されていない旨を上記外部機器へ通知する
ことを特徴とする請求項９に記載のデータ読出方法。
【発明の詳細な説明】
【技術分野】
【０００１】
本発明はデータ記録装置及びその方法並びにデータ読出装置及びその方法に関し、例えば、ＭＤ（Mini Disc）等の光磁気ディスクに対してデータの記録再生処理を実行する記録再生装置に適用して好適なものである。
【背景技術】
【０００２】
従来この種の記録再生装置においては、何も信号が記録されていない光磁気ディスクの全周に対しＲＦ信号を書き込む初期化処理を施し、当該初期化処理を施した後の光磁気ディスクに対してデータを記録するようになされている。
【発明の開示】
【発明が解決しようとする課題】
【０００３】
ところでかかる構成の記録再生装置は、光磁気ディスクに対する初期化処理に多くの時間（例えば２０分）を要してしまう問題がある。
【０００４】
この問題を回避するために、初期化処理を施さずに光磁気ディスクに対してそのままデータを記憶させるようにすることが考えられる。
【０００５】
しかしながらこの場合この記録再生装置が、初期化処理が施されていない光磁気ディスクにおける記録領域のうちの所定部分にデータを記録した後に当該記録したデータを読み出す処理を実行する際、未だデータが記録されたことのない記録領域にアクセスしてしまうと、当該アクセスした記憶領域から何ら信号を読み出すことができないので読み出しエラーになってしまい、その結果、記録したはずのデータすら読み出すことができないと言う問題が生じてしまう。
【０００６】
本発明は以上の点を考慮してなされたもので、初期化処理されていないディスク状記録媒体を用いることに起因した読み出しエラーが発生してしまうことを確実に回避することができるデータ記録装置及びその方法並びにデータ読出装置及びその方法を提案しようとするものである。
【課題を解決するための手段】
【０００７】
かかる課題を解決するため本発明においては、データ記録装置において、外部から供給されるデータをディスク状記録媒体に記録する第１の記録手段と、ディスク状記録媒体における記録領域のうち第１の記録手段によりデータが既に記録されたデータ記録済部分を示す記録管理情報をディスク状記録媒体に記録する第２の記録手段とを設けるようにした。
【０００８】
また本発明においては、データ読出装置において、データが記録領域に対して記録されると共に記録領域のうちのデータ記録済部分を示す記録管理情報が記録されたディスク状記録媒体の記録領域に対してアクセスすることにより、データを読み出すデータ読出手段と、ディスク状記録媒体に記録された記録管理情報に基づいて、記録領域のうちのデータ未記録部分にアクセスしないようにデータ読出手段を制御する制御手段とを設けるようにした。
【０００９】
このようにしてこのデータ記録装置は、データが既に記録されたデータ記録済部分を示す記録管理情報をディスク状記録媒体に記録するようにしたことにより、このディスク状記録媒体からデータを読み出すデータ読出装置は、ディスク状記録媒体に記録された記録管理情報に基づいて、データが記録されたことのあるデータ記録済部分とデータが記録されたことのないデータ未記録部分とを判別することができ、かくして当該データ未記録部分にアクセスしてしまうことを回避することができる。
【発明の効果】
【００１０】
本発明によれば、データ記録装置は、データが既に記録されたデータ記録済部分を示す記録管理情報をディスク状記録媒体に記録するようにしたことにより、このディスク状記録媒体からデータを読み出すデータ読出装置は、ディスク状記録媒体に記録された記録管理情報に基づいて、データが記録されたことのあるデータ記録済部分とデータが記録されたことのないデータ未記録部分とを判別することができ、かくして当該データ未記録部分にアクセスしてしまうことを回避することができる。この結果、初期化処理されていないディスク状記録媒体を用いることに起因して読み出しエラーが発生してしまうことを確実に回避することができるデータ記録装置及びその方法並びにデータ読出装置及びその方法を実現することができる。
【発明を実施するための最良の形態】
【００１１】
以下図面について、本発明の一実施の形態を詳述する。
【００１２】
（１）記録再生装置の全体構成
図１において、１は全体として本実施の形態による記録再生装置を示し、ミニディスク（ＭＤ）方式のディスクを記録媒体として、データの記録再生を行い得るようになされている。ただし、この記録再生装置１は、既に普及している音楽用途のミニディスクのみではなく、より高密度記録を可能とし、コンピュータユースの各種データのストレージに利用できる高密度ディスク（次世代ディスクとも言う）についても対応し得るようになされている。
【００１３】
また本実施の形態による記録再生装置１は、外部機器（以下、パーソナルコンピュータとする）２とＵＳＢケーブル３を介して接続することで、パーソナルコンピュータ２に対する外部ストレージ機器として機能し得るようになされている。また、パーソナルコンピュータ２を介したり、或いは直接ネットワークと接続できる機能を搭載するなどしてネットワーク接続することで、音楽や各種データをダウンロードし、これをディスク４に保存できるものともなる。
【００１４】
一方、この記録再生装置１はパーソナルコンピュータ２等に接続しなくとも、例えばオーディオ機器として機能する。例えば他のオーディオ機器等から入力された音楽データをディスクに記録したり、ディスク４に記録された音楽データ等を再生出力することができる。
【００１５】
すなわち本実施の形態による記録再生装置１は、パーソナルコンピュータ２等に接続することで汎用的なデータストレージ機器として利用でき、かつ単体でもオーディオ記録再生機器としても利用できる装置である。
【００１６】
なお以下においては、パーソナルコンピュータ２の被接続機器とされてデータ記録再生がおこなわれる動作状態を「ストレージモード」、パーソナルコンピュータ２と接続されずに単体でオーディオ記録再生を行う動作状態を「オーディオモード」と呼ぶこととする。
【００１７】
ここで、本実施の形態による記録再生装置１の構成の説明に先立って、この記録再生装置１が対応する、光磁気記録による次世代ディスクの概要について説明しておく。
【００１８】
まず、このような次世代ディスクは、現行のパーソナルコンピュータとの親和性が図れるように、ファイル管理システムとしてＦＡＴ（File Allocation Table）システムを使って、オーディオデータのようなコンテンツデータを記録再生するものである。また、現行のＭＤシステムに対して、エラー訂正方式や変調方式等の改善を行うことで、データの記録容量の増大を図るとともにデータの信頼性を高めている。
【００１９】
次世代ディスクの記録再生のフォーマットとしては、現在２種類の仕様が開発されている。説明上、これらを第１の次世代ＭＤ、第２の次世代ＭＤと呼ぶこととする。
【００２０】
第１の次世代ＭＤは、現行のＭＤシステムで用いられているディスクと全く同様のディスクを用いるようにした仕様であり、第２の次世代ＭＤは、現行のＭＤシステムで用いられているディスクと外形は同様であるが、磁気超解像（ＭＳＲ）技術を使うことにより、線記録方向の記録密度を上げて、記録容量をより増大した仕様である。
【００２１】
現行のＭＤシステム（オーディオ用ＭＤやＭＤ−ＤＡＴＡ）では、カートリッジに収納された直径６４ｍｍの光磁気ディスクが記録媒体として用いられている。ディスクの厚みは１.２ｍｍであり、その中央に１１ｍｍの径のセンターホールが設けられている。カートリッジの形状は、長さ６８ｍｍ、幅７２ｍｍ、厚さ５ｍｍである。
【００２２】
第１及び第２の次世代ＭＤの仕様でも、これらディスクの形状やカートリッジの形状は、すべて同じである。リードイン領域の開始位置についても、第１及び第２の次世代ＭＤのディスクも、半径位置２９ｍｍから始まり、現行のＭＤシステムで使用されているディスクと同様である。つまり、従来のＭＤシステムとの外形上での互換性が確保されているものである。
【００２３】
トラックピッチについては、第２の次世代ＭＤでは、１.２５μｍとされ、現行のＭＤシステムのディスクを流用する第１の次世代ＭＤでは、トラックピッチは１.６μｍとされている。ビット長は、第１の次世代ＭＤが０.４４μｍ/ビットとされ、第２の次世代ＭＤが０.１６μｍ/ビットとされる。冗長度は、第１及び第２の次世代ＭＤともに、２０.５０％である。
【００２４】
第２の次世代ＭＤ仕様のディスクでは、磁気超解像技術を使うことにより、線密度方向の記録容量を向上するようにしている。磁気超解像技術は、所定の温度になると、切断層が磁気的にニュートラルな状態になり、記録層に転写されていた磁壁が転写されることで、微少なマークがビームスポットの中に見えるようになることを利用したものである。
【００２５】
具体的に、第２の次世代ＭＤ仕様のディスクでは、透明基板上に、少なくとも情報を記録する記録層となる磁性層と、切断層と、情報再生用の磁性層とが積層される。切断層は、交換結合力調整用層となる。所定の温度になると、切断層が磁気的にニュートラルな状態になり、記録層に転写されていた磁壁が再生用の磁性層に転写される。これにより、微少なマークがビームスポットの中に見えるようになる。なお、記録時には、レーザパルス磁界変調技術を使うことで、微少なマークを生成することができる。
【００２６】
また、第２の次世代ＭＤ仕様のディスクでは、デトラックマージン、ランドからのクロストーク、ウォブル信号のクロストーク、フォーカスの漏れを改善するために、グルーブを深くし、グルーブの傾斜を鋭くしている。即ち第２の次世代ＭＤ仕様のディスクでは、グルーブの深さは例えば１６０ｎｍから１８０ｎｍであり、グルーブの傾斜は例えば６０度から７０度であり、グルーブの幅は例えば６００ｎｍから７００ｎｍである。
【００２７】
光学的仕様については、第１の次世代ＭＤの仕様では、レーザ波長λが７８０ｎｍとされ、光学ヘッドの対物レンズの開口率ＮＡが０.４５とされている。第２の次世代ＭＤの仕様も同様に、レーザ波長λが７８０ｎｍとされ、光学ヘッドの開口率ＮＡが０.４５とされている。
【００２８】
また記録方式としては、第１の次世代ＭＤでは、グルーブ（ディスクの盤面上の溝）をトラックとして記録再生に用いるグルーブ記録方式が採用され、第２の次世代ＭＤではグルーブ記録方式及び磁壁移動検出（ＤＷＤＤ）方式が採用されている。
【００２９】
さらに、エラー訂正符号化方式としては、現行のＭＤシステムでは、ＡＣＩＲＣ（Advanced Cross Interleave Reed-Solomon Code）による畳み込み符号が用いられていたが、第１及び第２の次世代ＭＤの仕様では、ＲＳ−ＬＤＣ（Reed Solomon−Long Distance Code）とＢＩＳ（Burst Indicator Subcode）とを組み合わせたブロック完結型の符号が用いられている。このブロック完結型のエラー訂正符号を採用することにより、リンキングセクタが不要になる。ＬＤＣとＢＩＳとを組み合わせたエラー訂正方式では、バーストエラーが発生したときに、ＢＩＳによりエラーロケーションが検出できる。このエラーロケーションを使って、ＬＤＣコードにより、イレージャ訂正を行うことができる。
【００３０】
アドレス方式としては、シングルスパイラルによるグルーブを形成したうえで、このグルーブの両側に対してアドレス情報としてのウォブルを形成したウォブルドグルーブ方式が採用されている。このようなアドレス方式は、ＡＤＩＰ（Address in Pregroove）と呼ばれている。
【００３１】
ＡＤＩＰの仕様については、現行のＭＤシステムと同様であるが、現行のＭＤシステムでは、２３５２バイトからなるセクタを記録再生のアクセス単位としているのに対して、第１及び第２の次世代ＭＤの仕様では、６４Ｋバイトを記録再生のアクセス単位（レコーディングブロック）としている。
【００３２】
また、現行のＭＤシステムでは、エラー訂正符号としてＡＣＩＲＣと呼ばれる畳み込み符号が用いられているのに対して、第１及び第２の次世代ＭＤの仕様では、ＬＤＣとＢＩＳとを組み合わせたブロック完結型の符号が用いられている。
【００３３】
そこで、現行のＭＤシステムのディスクを流用する第１の次世代ＭＤの仕様では、ＡＤＩＰ信号の扱いを、現行のＭＤシステムのときとは異なるようにしている。また、第２の次世代ＭＤでは、第２の次世代ＭＤの仕様により合致するように、ＡＤＩＰ信号の仕様に変更を加えている。
【００３４】
変調方式については、現行のＭＤシステムでは、ＥＦＭ（8 to 14 Modulation）が用いられているのに対して、第１及び第２の次世代ＭＤの仕様では、ＲＬＬ（１，７）ＰＰ（ＲＬＬ;Run Length Limited ,ＰＰ;Parity Preserve/Prohibit rmtr（repeated minimum transtion runlength））（以下、１−７ｐｐ変調と称する）が採用されている。また、データの検出方式は、第１の次世代ＭＤではパーシャルレスポンスＰＲ（１，２，１）ＭＬを用い、第２の次世代ＭＤではパーシャルレスポンスＰＲ（１，−１）ＭＬを用いたビタビ復号方式とされている。
【００３５】
また、ディスク駆動方式はＣＬＶ（Constant Linear Verocity）で、その線速度は、第１の次世代ＭＤの仕様では、２．７ｍ／秒とされ、第２の次世代ＭＤの仕様では、１．９８ｍ／秒とされる。なお、現行のＭＤシステムの仕様では、６０分ディスクで１．２ｍ／秒、７４分ディスクで１．４ｍ／秒とされている。
【００３６】
現行のＭＤシステムで用いられるディスクをそのまま流用する第１の次世代ＭＤの仕様では、ディスク１枚当たりのデータ総記録容量は約３００Ｍバイト（８０分ディスクを用いた場合）になる。変調方式がＥＦＭ変調から１−７ｐｐ変調とされることで、ウィンドウマージンが０．５から０．６６６となり、この点で、１．３３倍の高密度化が実現できる。
【００３７】
また、エラー訂正方式として、ＡＣＩＲＣ方式からＢＩＳとＬＤＣを組み合わせたものとしたことで、データ効率が上がり、この点で、１．４８倍の高密度化が実現できる。総合的には、全く同様のディスクを使って、現行のＭＤシステムに比べて、約２倍のデータ容量が実現されたことになる。
【００３８】
これに対し磁気超解像を利用した第２の次世代ＭＤの仕様のディスクでは、更に線密度方向の高密度化が図られ、データ総記録容量は、約１Ｇバイトになる。なお、データレートは第１の次世代ＭＤでは４．４Ｍビット／秒であり、第２の次世代ＭＤでは、９．８Ｍビット／秒である。
【００３９】
図２（Ａ）は、第１の次世代ＭＤのディスクの構成を示すものである。第１の次世代ＭＤのディスクは、現行のＭＤシステムのディスクをそのまま流用したものである。すなわち、透明のポリカーボネート基板上に、誘電体膜と、磁性膜と、誘電体膜と、反射膜とを積層して構成される。さらに、その上に保護膜が積層される。
【００４０】
第１の次世代ＭＤのディスクでは、この図２（Ａ）に示すようにディスクの内周のリードイン領域に、Ｐ−ＴＯＣ（プリマスタードＴＯＣ（Table Of Contents））領域が設けられる。ここは、物理的な構造としてはプリマスタード領域となり、エンボスピットによりコントロール情報等がＰ−ＴＯＣ情報として記録されていることになる。
【００４１】
そして、このようにＰ−ＴＯＣ領域が設けられるリードイン領域の外周は、レコーダブル領域（光磁気記録可能な記録領域）とされ、記録トラックの案内溝としてグルーブが形成された記録再生可能領域となっている。このレコーダブル領域の内周には、Ｕ−ＴＯＣ（ユーザＴＯＣ）が設けられる。
【００４２】
この場合のＵ−ＴＯＣは、現行のＭＤシステムでディスクの管理情報を記録するために用いられているＵ−ＴＯＣと同様の構成のものである。確認のために述べておくと、Ｕ−ＴＯＣは、現行のＭＤシステムにおいては、トラック（オーディオトラック／データトラック）の曲順、記録、消去などに応じて書き換えられる管理情報であり、各トラック（トラックを構成するパーツ）について、開始位置、終了位置や、モードを管理するものである。
【００４３】
また、Ｕ−ＴＯＣの外周には、アラートトラックが設けられる。アラートトラックは、このディスクが第１の次世代ＭＤ方式で使用され、現行のＭＤシステムのプレーヤでは再生できないことを示す警告音が記録された警告トラックである。
【００４４】
図２（Ｂ）は、第１の次世代ＭＤの仕様のディスクのレコーダブル領域の構成を示すものである。この図２（Ｂ）からも明らかなように、レコーダブル領域の先頭（内周側）には、Ｕ−ＴＯＣおよびアラートトラックが設けられる。Ｕ−ＴＯＣおよびアラートトラックが含まれる領域は、現行のＭＤシステムのプレーヤでも再生できるように、ＥＦＭでデータが変調されて記録される。
【００４５】
そして、このＥＦＭ変調でデータが変調されて記録される領域の外周には、次世代ＭＤ１方式の１−７ｐｐ変調によりデータが変調されて記録される領域が設けられる。ＥＦＭ変調によりデータが変調されて記録される領域と、１−７ｐｐ変調によりデータが変調されて記録される領域との間は所定の距離の間だけ離間されており、ガードバンドが設けられている。このようなガードバンドが設けられるため、現行のＭＤプレーヤに第１の次世代ＭＤの仕様のディスクが装着されて、不具合が発生されることが防止される。
【００４６】
１−７ｐｐ変調によりデータが変調されて記録される領域の先頭（内周側）には、ＤＤＴ（Disc Description Table）領域と、セキュアトラックが設けられる。ＤＤＴ領域には、物理的に欠陥のあるセクタ（レコーディングブロック）に対する交替セクタ処理をするために設けられる。ＤＤＴ領域には、さらに、ディスクＩＤが記録される。ディスクＩＤは、記録媒体毎に固有の識別コードであって、例えば所定に発生された乱数に基づく。
【００４７】
また、スクラッチパッドとしての領域や、ＳＲＢ（Serial Recording Bitmap）と呼ばれる、記録したクラスタに対応したビットを「１」とするビットマップが記録される。セキュアトラックは、コンテンツの保護を図るための情報が格納される。
【００４８】
さらに、１−７ｐｐ変調でデータが変調されて記録される領域には、ＦＡＴ（File Allocation Table）領域が設けられる。このＦＡＴ領域は、ＦＡＴシステムでデータを管理するための領域である。
【００４９】
ＦＡＴシステムは、汎用のパーソナルコンピュータで使用されているＦＡＴシステムに準拠したデータ管理を行うものである。ＦＡＴシステムは、ルートにあるファイルやディレクトリのエントリポイントを示すディレクトリと、ＦＡＴクラスタの連結情報が記述されたＦＡＴテーブルとを用いて、ＦＡＴチェーンによりファイル管理を行うものである。
【００５０】
このような第１の次世代ＭＤの仕様のディスクにおいて、上述のＵ−ＴＯＣ領域には、アラートトラックの開始位置の情報と、１−７ｐｐ変調でデータが変調されて記録される領域の開始位置の情報が記録されるものとなる。
【００５１】
ここで、現行のＭＤシステムのプレーヤに、上述の構成による第１の次世代ＭＤのディスクが装着されると、Ｕ−ＴＯＣ領域が読み取られ、Ｕ−ＴＯＣの情報から、アラートトラックの位置が分かり、アラートトラックがアクセスされ、アラートトラックの再生が開始される。
【００５２】
アラートトラックには、このディスクが第１の次世代ＭＤ方式で使用され、現行のＭＤシステムのプレーヤでは再生できないことを示す警告音が記録されている。この警告音から、このディスクが現行のＭＤシステムのプレーヤでは使用できないことが通知される。なお、この場合の警告音としては、「このプレーヤでは使用できません」というような言語による警告とすることができる。勿論、ブザー音とするようにしても良い。
【００５３】
一方、第１の次世代ＭＤに準拠したプレーヤに対し、第１の次世代ＭＤのディスクが装着された場合、Ｕ−ＴＯＣ領域が読み取られ、Ｕ−ＴＯＣの情報から１−７ｐｐ変調でデータが記録された領域の開始位置が分かり、上述したＤＤＴ、セキュアトラック、ＦＡＴ領域が読み取られる。上述のように１−７ｐｐ変調のデータの領域では、Ｕ−ＴＯＣではなくＦＡＴシステムによるデータ管理が行われる。
【００５４】
図３（Ａ）は、第２の次世代ＭＤのディスクの構成を示すものである。この場合もディスクは、透明のポリカーボネート基板上に誘電体膜、磁性膜、誘電体膜、反射膜、さらにその上層に保護膜を積層してなる。
【００５５】
そして、第２の次世代ＭＤのディスクの場合では、図示するようにディスクの内周のリードイン領域には、ＡＤＩＰ信号により、コントロール情報が記録されるものとなる。
【００５６】
第２の次世代ＭＤのディスクには、リードイン領域にはエンボスピットによるＰ−ＴＯＣは設けられておらず、その代わりに、ＡＤＩＰ信号によるコントロール情報が用いられる。リードイン領域の外周からレコーダブル領域が開始され、記録トラックの案内溝としてグルーブが形成された記録再生可能領域となっている。このレコーダブル領域には、１−７ｐｐ変調方式によりデータが変調されて記録される。
【００５７】
あるディスクが第１の次世代ＭＤであるか第２の次世代ＭＤであるかは、リードインの情報から判断できる。すなわち、リードインにエンボスピットによるＰ−ＴＯＣが検出されれば、現行のＭＤまたは第１の次世代ＭＤのディスクであると判断できる。リードインにＡＤＩＰ信号によるコントロール情報が検出され、エンボスピットによるＰ−ＴＯＣが検出されなければ、第２の次世代ＭＤであると判断できる。
【００５８】
なお第１及び第２の次世代ＭＤの判別は、このような方法に限定されるものではない。オントラックのときとオフトラックのときとのトラッキングエラー信号の位相から判別することも可能である。勿論、カートリッジ等にディスク識別用の検出孔等を設けるようにしても良い。
【００５９】
第２の次世代ＭＤの仕様のディスクのレコーダブル領域の構成としては、図３（Ｂ）に示すように、全て１−７ｐｐ変調方式によりデータが変調されて記録される領域が形成される。そして、この１−７ｐｐ変調方式によりデータが変調されて記録される領域の先頭（内周側）には、ＤＤＴ領域及びセキュアトラックが設けられる。
【００６０】
この場合も上述のＤＤＴ領域には、物理的に欠陥のあるセクタ（レコーディングブロック）に対する交替セクタ処理を行うための領域とされる。またＤＤＴ領域には、上述したディスクＩＤが記録される。また上述したスクラッチパッド領域やＳＲＢが設けられる。さらにセキュアトラックには、この場合もコンテンツの保護を図るための情報が格納される。
【００６１】
また、１−７ｐｐ変調でデータが変調されて記録される領域には、ＦＡＴ領域も設けられる。ＦＡＴ領域は、ＦＡＴシステムでデータを管理するための領域である。ＦＡＴシステムは、汎用のパーソナルコンピュータで使用されているＦＡＴシステムに準拠したデータ管理を行うものである。
【００６２】
そして、このような第２の次世代ＭＤのディスクにおいては、この図３（Ｂ）からも明らかなように、Ｕ−ＴＯＣ領域は設けられていない。つまり第２の次世代ＭＤのディスクについては、次世代ＭＤに準拠したプレーヤのみでの使用が想定されているものである。
【００６３】
次世代ＭＤに準拠したプレーヤでは、第２の次世代ＭＤのディスクが装着されると、所定の位置にあるＤＤＴ領域、セキュアトラック及びＦＡＴ領域が読み取られ、ＦＡＴシステムを使ってデータの管理が行われることになる。
【００６４】
ＦＡＴシステムで管理され、図２（Ｂ）及び図３（Ｂ）のデータ領域に記録されるデータとしては、データファイル、トラックインフォメーションファイル（ＴＩＦ）、鍵情報ファイル、ＭＡＣリストファイルなどがある。
【００６５】
データファイルは、例えばオーディオデータやコンピュータユースのデータなどのデータファイルである。
【００６６】
またトラックインフォメーションファイル（ＴＩＦ）は、オーディオデータファイルに納められた音楽データを管理するための各種の情報が記述されたファイルである。トラックインフォメーションファイルには、楽曲の再生順を示すプレイオーダテーブル、ユーザが指定した再生順を管理するプログラムドプレイオーダテーブル、楽曲のアルバム単位等のグループかを管理するグループインフォメーションテーブル、各トラック（楽曲）に関する情報が記述されるトラックインフォメーションテーブル、各トラックのパーツを管理するパーツインフォメーションテーブル、各トラックに付加される文字情報を管理するネームテーブルを有する。
【００６７】
さらに鍵情報ファイルは、暗号化方式における鍵のバージョン情報を示すデータが記述される。さらにＭＡＣリストファイルは、改竄チェックのためのＭＡＣ値が記述される。
【００６８】
説明を図１に戻し、本実施の形態による記録再生装置１内部の全体構成について説明する。
【００６９】
図１において、ＵＳＢインターフェース１０は、ホスト機器として接続されたパーソナルコンピュータ２とＵＳＢケーブル３で接続された際のデータ伝送のための処理を行う。
【００７０】
またキャッシュメモリ１１は、例えばＤ−ＲＡＭ（Dynamic-RAM（Random Access Memory））より構成され、ストレージ部１２に装填されたディスク４に書き込むデータ、或いはストレージ部１２によってディスク４から読み出されたデータについてのバッファリングを行う。
【００７１】
ストレージ部１２は、現行ＭＤと、上述した第１及び第２の次世代ＭＤとに対応した記録再生手段であり、記録モード時には、キャッシュメモリ１１から転送されるデータに対してＥＦＭ変調方式又は１−７ｐｐ変調方式で変調してディスク４に書き込む。またストレージ部１２は、再生モード時には、ディスク４から読み出したデータをＥＦＭ復調方式又は１−７ｐｐ復調方式で復調してキャッシュメモリ１１に転送する。
【００７２】
システムコントローラ１３は、ＵＳＢインターフェース１０を介してパーソナルコンピュータ２からの書込み要求や読出し要求などの各種コマンドを受信し、このコマンドに応じてキャッシュメモリ１１及びストレージ部１２を制御するなどの各種制御処理を実行する。
【００７３】
例えばシステムコントローラ１３は、パーソナルコンピュータ１３から送信されるアドレス及びデータ長を指定したデータの書込み要求をＵＳＢインターフェース１０を介して受信すると、これに応じてＵＳＢインターフェース１０及びキャッシュメモリ１１を制御することにより、その後パーソナルコンピュータ１３から送信されるそのデータをＵＳＢインターフェース１０を介してキャッシュメモリ１１に入力して一時記憶させる。そしてシステムコントローラ１３は、この後キャッシュメモリ１１及びストレージ部１２を制御することにより、このキャッシュメモリ１１に一時記憶されたデータをストレージ部１２に転送させてディスク４上の指定されたアドレス位置に書き込ませる。
【００７４】
またシステムコントローラ１３は、パーソナルコンピュータ１３から送信されるアドレス及びデータ長を指定したデータの読出し要求をＵＳＢインターフェース１０を介して受信すると、これに応じてストレージ部１２及びキャッシュメモリ１１を制御することにより、指定されたデータをディスク４から読み出させてキャッシュメモリ１１に転送させ、これを当該キャッシュメモリ１１に一時記憶させる。そしてシステムコントローラ１３は、この後キャッシュメモリ１１及びＵＳＢインターフェース１０を制御することにより、このキャッシュメモリ１１に一時記憶されたデータをＵＳＢインターフェース１０を介してパーソナルコンピュータ２に送信させる。
【００７５】
入出力処理部１４は、例えば記録再生装置１が単体でオーディオ機器として機能する場合に記録再生データの入出力のための処理を行う。
【００７６】
この入出力処理部１４は、例えば入力系として、ライン入力回路／マイクロホン入力回路等のアナログ音声信号入力部、アナログ／ディジタル変換器や、デジタルオーディオデータ入力部及びＡＴＲＡＣ圧縮エンコーダ／デコーダを有する。ＡＴＲＡＣ圧縮エンコーダ／デコーダは、ＡＴＲＡＣ方式によるオーディオデータの圧縮／伸長処理を実行するための回路である。なお、もちろんのこと、本実施の形態の記録再生装置１としては、例えばＭＰ３などの他のフォーマットによる圧縮オーディオデータが記録再生可能な構成を採ってもよく、この場合には、これらの圧縮オーディオデータのフォーマットに対応したエンコーダ／デコーダを設ければよい。
【００７７】
また本実施の形態としては、ビデオデータに関しては特に記録再生可能なフォーマットの限定は行わないが、例えばＭＰＥＧ（Moving Pictures Experts Group）４などが考えられる。そして、入出力処理部１４としては、このようなフォーマットに対応したエンコーダ／デコーダを設ければよいこととなる。
【００７８】
さらに入出力処理部１４は、出力系として、デジタルオーディオデータ出力部や、ディジタル／アナログ変換器及びライン出力回路／ヘッドホン出力回路等のアナログ音声信号出力部を有する。
【００７９】
そして、この場合の入出力処理部１４内には、暗号処理部（図示せず）が設けられる。暗号処理部においては、例えばディスクに記録すべきＡＶデータについて、所定のアルゴリズムによる暗号化処理を施すようにされる。また、例えばディスクから読み出されたＡＶデータについて暗号化が施されている場合には、必要に応じて暗号解読のための復号処理を実行するようにもされている。
【００８０】
入出力処理部１４を介した処理として、ディスクにオーディオデータが記録されるのは、例えば入力ＴINとして入出力処理部１４にデジタルオーディオデータ（又はアナログ音声信号）が入力される場合である。入力されたリニアＰＣＭデジタルオーディオデータ、或いはアナログ音声信号で入力されアナログ／ディジタル変換器で変換されて得られたリニアＰＣＭオーディオデータは、必要に応じてＡＴＲＡＣ圧縮エンコードされてキャッシュメモリ１１に蓄積される。そして所定タイミング（ＡＤＩＰクラスタ相当のデータ単位）でキャッシュメモリ１１から読み出されてストレージ部１２に転送される。ストレージ部１２では、転送されてくる圧縮データを所定の変調方式で変調してディスク４に書き込む。
【００８１】
ディスクからミニディスク方式のオーディオデータが再生される場合は、ストレージ部１２は再生データをＡＴＲＡＣ圧縮データ状態に復調してキャッシュメモリ１１に転送する。そしてキャッシュメモリ１１から読み出されて入出力処理部１４に転送される。入出力処理部１４は、供給されてくる圧縮オーディオデータに対してＡＴＲＡＣ圧縮デコードを行ってリニアＰＣＭオーディオデータとし、デジタルオーディオデータ出力部から出力する。或いはディジタル／アナログ変換器によりアナログ音声信号としてライン出力／ヘッドホン出力を行う。
【００８２】
ＲＯＭ（Read Only Memory）１５Ａには、システムコントローラ１３の動作プログラムや固定パラメータ等が記憶される。またＲＡＭ１５Ｂは、システムコントローラ１３によるワーク領域として用いられ、また各種必要な情報の格納領域とされる。例えばストレージ部１２によってディスク４から読み出された各種管理情報や特殊情報、例えば上述したＰ−ＴＯＣデータ、Ｕ−ＴＯＣデータ、ＦＡＴデータ等、楽曲トラックの管理情報については、キャッシュメモリ１１に取り込まれ、ストレージモード時にはその後パーソナルコンピュータに転送されるが、システムコントローラ１３は、それらの管理情報のうち、必要な情報をＲＡＭ１５Ｂに取り込んで処理することが行われる。
【００８３】
キャッシュ管理メモリ１６は、例えばＳ−ＲＡＭ（Static-RAM）で構成され、キャッシュメモリ１１の状態を管理する情報が格納される。システムコントローラ１３はキャッシュ管理メモリ１６を参照しながらデータキャッシュ処理の制御を行う。
【００８４】
表示部１７は、システムコントローラ１３の制御に基づいて、ユーザに対して提示すべき各種情報の表示を行う。例えば動作状態、モード状態、楽曲等の名称などの文字データ、トラックナンバー、時間情報、その他の情報表示を行う。
【００８５】
また本実施の形態において、例えばディスク４が次世代ディスクである場合には、このディスク４に対し楽曲データに対応づけて画像データが記憶されていることが想定されているが、表示部１７は、ディスク４のロード時や再生時等においてシステムコントローラ１３の制御に基づき、このように対応づけられた画像データの表示を行うようにすることも考えられる。
【００８６】
操作部１８には、ユーザの操作のための各種操作子として、各種操作ボタンやジョグダイヤルなどが形成される。ユーザは、この操作部１８に対する操作により記録再生装置１に対する所要の動作指示を行う。システムコントローラ１３は操作部１８によって入力された操作情報に基づいて所定の制御処理を行う。
【００８７】
なお、これまでに説明した記録再生装置１の構成はあくまでも一例であり、例えば入出力処理部１４に、オーディオデータだけでなく、ビデオデータに対応する入出力処理系を設けるようにしてもよい。またパーソナルコンピュータ２との接続はＵＳＢでなく、ＩＥＥＥ（Institute of Electrical and Electronic Engineers）１３９４等の他の外部インターフェースが用いられても良い。さらに操作部１８としては、リモートコントローラ上に先に例示したものと同様の操作子を設けるようにすることも可能である。
【００８８】
（２）ＳＲＢデータの構成
ところでこの記録再生装置１は、上述したようにディスク４上のＤＤＴ（Disc Description Table）領域に対して、ＳＲＢ（Signal Recording Bitmap）データを記録するようになされている。因みに本実施の形態の場合、このディスク４については初期化処理が施されていないものとする。
【００８９】
ここでは図４及び図５を用いてこのＳＲＢデータを詳細に説明する。図４において模式的に示すように、ＳＲＢデータにおいては、ディスク４上のレコーダブル領域のうちデータが既に記録されたことのあるクラスタに対応する部分に対し、データが既に記録された旨を示す情報（図中の網掛け）が示される。実際上このＳＲＢデータは、２レコーディングブロック（１２８ｋbyte）程度の情報量でなる。
【００９０】
次にこのＳＲＢデータの具体例を図５に示す。このＳＲＢデータにおいては、レコーダブル領域に設けられた複数のクラスタのそれぞれを識別するためのクラスタ番号が示されている。
【００９１】
記録再生装置１は、レコーダブル領域に設定された複数のクラスタのうち、データが未だ記録されたことのないクラスタ（以下、これをデータ未記録クラスタとも呼ぶ）については、そのクラスタのクラスタ番号と対応付けるようにしてデータ未記録クラスタである旨を示すビット「０」をＳＲＢデータに対して書き込み、これに対してデータが既に記録されたことのあるクラスタ（以下、これをデータ記録済クラスタとも呼ぶ）については、そのクラスタのクラスタ番号と対応付けるようにしてデータ記録済クラスタである旨を示すビット「１」をＳＲＢデータに対して書き込むようになされている。
【００９２】
（３）データ書き込み処理／データ読み出し処理
次に、ディスク４に対して書き込むべきデータがパーソナルコンピュータ２からＵＳＢケーブル３を介して記録再生装置１へ供給されたとき、この記録再生装置１が実行するデータ書き込み処理について説明する。
【００９３】
図１に示した記録再生装置１のシステムコントローラ１３は、例えば、ストレージ部１２に対してディスク４が装填されたとき、このディスク４のＤＤＴ領域からＳＲＢデータを読み出して、これをキャッシュメモリ１１に展開しておく。因みに以下では、説明の便宜上、キャッシュメモリ１１に展開しているＳＲＢデータを、展開ＳＲＢデータと呼ぶ。
【００９４】
パーソナルコンピュータ２は、光磁気ディスク４に対して書き込むべきデータとして、例えば文書データ（Microsoft Word（R）等により生成される文書データ）を記録再生装置１に対して供給する。
【００９５】
因みにこの記録再生装置１は、パーソナルコンピュータ２から供給された文書データをレコーディングブロック単位で、ディスク４上の複数のクラスタに散在するようにして記録する。従ってパーソナルコンピュータ２は、当該文書データを記録再生装置１へ供給する際、当該文書データの記録先となる各クラスタを指定するために複数のアドレスを記録再生装置１へ通知する。
【００９６】
システムコントローラ１３は、パーソナルコンピュータ２から文書データが供給されると共に当該文書データの記録先クラスタを示す複数のアドレスが通知されると、当該供給された文書データをレコーディングブロック単位でキャッシュメモリ１１に一時蓄積すると共に、当該通知された複数のアドレスに基づいて展開ＳＲＢデータの書き換え処理を実行する。
【００９７】
すなわちシステムコントローラ１３は、展開ＳＲＢデータ（図５（Ａ））の書き換え処理として、当該通知された複数のアドレスに対応する各クラスタ番号（例えばクラスタ番号＃４、＃１６、＃５０）のうち、データ未記録クラスタである旨を示すビット「０」が対応付けられているクラスタ番号＃４を認識すると、そのビット「０」をデータ記録済クラスタである旨を示す「１」に書き換える（図５（Ｂ））。次いでシステムコントローラ１３は、データ記録済クラスタである旨を示すビット「１」が対応付けられているクラスタ番号＃１６を認識すると、そのビット「１」を書き換えずにそのままにする（図５（Ｂ））。さらにシステムコントローラ１３は、データ未記録クラスタである旨を示すビット「０」が対応付けられているクラスタ番号＃５０を認識すると、そのビット「０」をデータ記録済クラスタである旨を示す「１」に書き換える（図５（Ｂ））。
【００９８】
このようにしてシステムコントローラ１３は、これから文書データを記録するクラスタの中に、データが未だ記録されたことのないクラスタ（この場合、クラスタ番号＃４及びクラスタ番号＃５０のクラスタ）がある場合、展開ＳＲＢデータ上でそのクラスタのクラスタ番号に対応付けられて示されているビット「０」を、ビット「１」に予め書き換えるようになされている。
【００９９】
そしてシステムコントローラ１３は、キャッシュメモリ１１に一時蓄積している文書データをレコーディングブロック単位で、クラスタ番号＃４、＃１６、＃５０の各クラスタに対して順次記録する。またシステムコントローラ１３は、所定のＳＲＢデータ書き戻しタイミング（後述する）で、書き換え処理後の展開ＳＲＢデータ（図５（Ｂ））をディスク４上のＤＤＴ領域へ書き戻すようになされている。
【０１００】
因みに本実施の形態の場合このパーソナルコンピュータ２は、文書データを記録再生装置１に対して供給した後、この文書データの記録先クラスタのアドレス等を示したＦＡＴデータを、記録再生装置１に対して供給するようになされている。これに応じて記録再生装置１のシステムコントローラ１３は、文書データをディスク４上の各クラスタに対して記録した後、当該供給されたＦＡＴデータをディスク４のＦＡＴ領域に記録するようになされている。
【０１０１】
次に、パーソナルコンピュータ２が記録再生装置１を介してディスク４に記録された文書データを読み出す際の処理について説明する。
【０１０２】
記録再生装置１のシステムコントローラ１３は、例えば、ストレージ部１２に対してデータ読み出し対象のディスク４が装填されたとき、このディスク４からＳＲＢデータ（図５（Ｂ））を読み出して、これをキャッシュメモリ１１に展開しておく。
【０１０３】
パーソナルコンピュータ２は、ディスク４が装填されている記録再生装置１に対して、当該ディスク４のＦＡＴ領域からＦＡＴデータを読み出すように命令する。これに応じて記録再生装置１のシステムコントローラ１３は、ストレージ部１２を制御することによりディスク４からＦＡＴデータを読み出し、これをパーソナルコンピュータ２へ送出する。
【０１０４】
パーソナルコンピュータ２は、記録再生装置１からのＦＡＴデータに基づいて文書データが記憶されている各クラスタのアドレスを認識した後、この文書データを記録再生装置１に読み出させるためのデータ読出命令として、当該認識した各クラスタのアドレスを記録再生装置１に対して通知する。
【０１０５】
記録再生装置１は、パーソナルコンピュータ２からデータ読出命令として複数のアドレスが通知されると、当該複数のアドレスに対応する各クラスタ番号＃４、＃１６、＃５０を認識した後展開ＳＲＢデータ（図５（Ｂ））を参照し、これにより当該認識した各クラスタ番号＃４、＃１６、＃５０に対応付けられているビットが、データ記録済クラスタである旨を示す「１」であるか否かを判定する。
【０１０６】
この場合各クラスタ番号＃４、＃１６、＃５０にビット「１」が対応付けられているという判定結果が得られるので、記録再生装置１は、これらクラスタ番号＃４、＃１６、＃５０に対応する各クラスタからレコーディングブロック単位で文書データを読み出し、これをパーソナルコンピュータ２に対して送出する。かくしてパーソナルコンピュータ２は、記録再生装置１を介してディスク４に記録された文書データを読み出すことができる。
【０１０７】
ところでパーソナルコンピュータ２は、例えばディスク４におけるデータの記録状態（ディスク４に記録されているデータの数や種類等）を認識するために、データ読出命令として任意のアドレスを記録再生装置１へ通知する場合がある。
【０１０８】
この場合この記録再生装置１は、パーソナルコンピュータ２からデータ読出命令として通知されたアドレスに対応するクラスタ番号として例えばクラスタ番号＃２を認識すると、展開ＳＲＢデータ（図５（Ｂ））を参照することにより、当該認識したクラスタ番号＃２に対応付けられているビットが、データ記録済クラスタである旨を示す「１」であるか否かを判定する。
【０１０９】
この場合クラスタ番号＃２にビット「０」が対応付けられているという判定結果が得られるので、記録再生装置１は、クラスタ番号＃２に対応するクラスタには未だデータが記録されたことがないと判断し、この結果このクラスタにアクセスしないで、「０」埋めしたデータ（以下、これを「０」データと呼ぶ）をパーソナルコンピュータ２に対して送出する。
【０１１０】
このようにして記録再生装置１は、未だデータが記録されたことがないデータ未記録クラスタ（この場合、クラスタ番号＃２のクラスタ）にアクセスしてしまうことを回避することができ、かくして読み出しエラーが生じてしまうことを回避することができる。またこの際記録再生装置１は、「０」データをパーソナルコンピュータ２に対して送出するようにしたことにより、クラスタ番号＃２のクラスタにデータが記録されていない旨をパーソナルコンピュータ２に認識させることができる。
【０１１１】
（４）ＳＲＢデータ書き戻しタイミング
次に、キャッシュメモリ１１に展開された展開ＳＲＢデータをディスク４上のＤＤＴ領域に対して書き戻すＳＲＢデータ書き戻しタイミングについて説明する。
【０１１２】
この記録再生装置１においては、ユーザの設定操作によりＳＲＢデータ書き戻しタイミングを変更することができるようになされている。すなわち本実施の形態の場合この記録再生装置１には、予め４種類のＳＲＢデータ書き戻しタイミングが登録されており、ユーザは設定操作を行うことによって、これら４種類のＳＲＢデータ書き戻しタイミングの中から一のＳＲＢデータ書き戻しタイミングを選択することができる。
【０１１３】
例えばユーザが、記録再生装置１に接続されたパーソナルコンピュータ２を介して、４種類のＳＲＢデータ書き戻しタイミングの中から第１のＳＲＢデータ書き戻しタイミングを選択する設定操作を行うと、これに応じて記録再生装置１のシステムコントローラ１３は、例えばＲＯＭ１５Ａに記憶されている設定情報を書き換える。そしてこの後システムコントローラ１３は、当該書き換え後の設定情報に基づいて、第１のＳＲＢデータ書き戻しタイミングにより、展開ＳＲＢデータをディスク４のＤＤＴ領域に対して書き戻すようになされている。
【０１１４】
ここで図６を用いて、第１のＳＲＢデータ書き戻しタイミングを説明する。記録再生装置１のシステムコントローラ１３は、パーソナルコンピュータ２から文書データＤ１が順次供給されると、これをレコーディングブロック単位でキャッシュメモリ１１に蓄積する。この結果このキャッシュメモリ１１には、パーソナルコンピュータ２から供給された文書データＤ１として、第１ブロックデータＢＤ１、第２ブロックデータＢＤ２及び第３ブロックデータＢＤ３が蓄積される。
【０１１５】
システムコントローラ１３は、かくして蓄積された第１ブロックデータＢＤ１、第２ブロックデータＢＤ２及び第３ブロックデータＢＤ３のうちの第１ブロックデータＢＤ１を、パーソナルコンピュータ２から通知されたアドレスに対応するクラスタ番号＃４のクラスタに記録する際、この記録を実行する前に展開ＳＲＢデータの書き換え処理を実行することにより、そのクラスタのクラスタ番号＃４に対応付けられているビット「０」をビット「１」に書き換える。
【０１１６】
次いでシステムコントローラ１３は、キャッシュメモリ１１から第１ブロックデータＢＤ１を読み出して、これをディスク４におけるクラスタ番号＃４のクラスタに記録すると共に、かかる書き換え処理後の展開ＳＲＢデータを、ディスク４のＤＤＴ領域に対して書き戻す。
【０１１７】
同じようにシステムコントローラ１３は、第１ブロックデータＢＤ１の次の第２ブロックデータＢＤ２を、パーソナルコンピュータ２から通知されたアドレスに対応するクラスタ番号＃１６のクラスタに記録する際、この記録を実行する前に展開ＳＲＢデータの書き換え処理を実行するが、そのクラスタのクラスタ番号＃１６に対応付けられているビットが「１」であるため、そのビット「１」を書き換えずにそのままにする。
【０１１８】
次いでシステムコントローラ１３は、キャッシュメモリ１１から第２ブロックデータＢＤ２を読み出して、これをディスク４におけるクラスタ番号＃１６のクラスタに記録すると共に、かかる展開ＳＲＢデータをディスク４のＤＤＴ領域に対して書き戻す。
【０１１９】
このようにして、第１のＳＲＢデータ書き戻しタイミングに設定された記録再生装置１は、１レコーディングブロック分の各ブロックデータＢＤ１、ＢＤ２、……をディスク４に対して記録する度に、展開ＳＲＢデータをディスク４のＤＤＴ領域に対して書き戻すようになされている。
【０１２０】
ここで、例えば２レコーディングブロック分のブロックデータＢＤ１、ＢＤ２をディスク４に記録した後に展開ＳＲＢデータをＤＤＴ領域に対して書き戻すようにした場合を考える。この場合、例えば第１ブロックデータＢＤ１をクラスタ番号＃４のクラスタに記録した後第２ブロックデータＢＤ２の記録を開始した際に、記録再生装置１に対する駆動電力の供給が何らかの要因に停止した場合、第１ブロックデータＢＤ１の記録に伴って書き換えられた展開ＳＲＢデータがディスク４のＤＤＴ領域に書き戻されない。この結果この記録再生装置１は、駆動電力の供給が再開した後にパーソナルコンピュータ２からデータ読出命令として、クラスタ番号＃４のクラスタを指定するアドレスが入力されたとしても、当該再開後にディスク４からキャッシュメモリ１１に展開された展開ＳＲＢデータには、クラスタ番号＃４に対応付けられてビット「０」が示されているので、実際にはクラスタ番号＃４のクラスタに第１ブロックデータＢＤ１が記録されているのにも関わらず、これを読み出さないで「０」データをパーソナルコンピュータ２に送出してしまう。かくしてこの場合、ディスク４に記録された第１ブロックデータＢＤ１の読み出しを保障することができないことになる。
【０１２１】
これに対して、第１のＳＲＢデータ書き戻しタイミングに設定された記録再生装置１は、１レコーディングブロック分のブロックデータＢＤ（ＢＤ１、ＢＤ２、……）をディスク４に対して記録する度に、展開ＳＲＢデータをディスク４のＤＤＴ領域に対して書き戻すようにしたことにより、第１ブロックデータＢＤ１をクラスタ番号＃４のクラスタに記録した後第２ブロックデータＢＤ２の記録を開始した際に、記録再生装置１に対する駆動電力の供給が停止したとしても、第１ブロックデータＢＤ１の記録に伴って書き換えられた展開ＳＲＢデータがディスク４のＤＤＴ領域に書き戻されている。この結果この記録再生装置１は、駆動電力の供給が再開した後にパーソナルコンピュータ２からデータ読出命令として、クラスタ番号＃４のクラスタを指定するアドレスが入力されたとしても、当該再開後にディスク４からキャッシュメモリ１１に展開した展開ＳＲＢデータには、クラスタ番号＃４に対応付けられてビット「１」が示されているので、クラスタ番号＃４のクラスタから第１ブロックデータＢＤ１を読み出して、これをパーソナルコンピュータ２へ送出することができる。かくしてこの場合、ディスク４に記録された第１ブロックデータＢＤ１の読み出しを保障することができる。
【０１２２】
このように、第１のＳＲＢデータ書き戻しタイミングに設定された記録再生装置１は、駆動電力の供給停止等の不具合が発生した場合であっても、これまでディスク４に記録したデータの読み出しを確実に保障することができる。
【０１２３】
ところでユーザが、記録再生装置１に接続されたパーソナルコンピュータ２を介して、４種類のＳＲＢデータ書き戻しタイミングの中から第２のＳＲＢデータ書き戻しタイミングを選択する設定操作を行うと、これに応じて記録再生装置１のシステムコントローラ１３は、例えばＲＯＭ１５Ａに記憶されている設定情報を書き換える。そしてこの後システムコントローラ１３は、当該書き換え後の設定情報に基づいて、第２のＳＲＢデータ書き戻しタイミングにより、展開ＳＲＢデータをディスク４のＤＤＴ領域に対して書き戻すようになされている。
【０１２４】
ここで図７を用いて、第２のＳＲＢデータ書き戻しタイミングを説明する。記録再生装置１のシステムコントローラ１３は、パーソナルコンピュータ２から文書データが順次供給されると、これをレコーディングブロック単位でキャッシュメモリ１１に蓄積する。この結果このキャッシュメモリ１１には、パーソナルコンピュータ２から供給された文書データとして、第１ブロックデータＢＤ１、第２ブロックデータＢＤ２及び第３ブロックデータＢＤ３が蓄積される。
【０１２５】
システムコントローラ１３は、かくして蓄積された第１ブロックデータＢＤ１、第２ブロックデータＢＤ２及び第３ブロックデータＢＤ３のうちの第１ブロックデータＢＤ１を、パーソナルコンピュータ２から通知されたアドレスに対応するクラスタ番号＃４のクラスタに記録する際、この記録を実行する前に展開ＳＲＢデータの書き換え処理を実行することにより、そのクラスタのクラスタ番号＃４に対応付けられているビット「０」をビット「１」に書き換える。そしてシステムコントローラ１３は、キャッシュメモリ１１から第１ブロックデータＢＤ１を読み出して、これをディスク４におけるクラスタ番号＃４のクラスタに記録する。
【０１２６】
同じようにシステムコントローラ１３は、第１ブロックデータＢＤ１の次の第２ブロックデータＢＤ２を、パーソナルコンピュータ２から通知されたアドレスに対応するクラスタ番号＃１６のクラスタに記録する際、この記録を実行する前に展開ＳＲＢデータの書き換え処理を実行するが、そのクラスタのクラスタ番号＃１６に対応付けられているビットが「１」であるため、そのビット「１」を書き換えずにそのままにする。そしてシステムコントローラ１３は、キャッシュメモリ１１から第２ブロックデータＢＤ２を読み出して、これをディスク４におけるクラスタ番号＃１６のクラスタに記録する。
【０１２７】
さらに同じようにシステムコントローラ１３は、第２ブロックデータＢＤ２の次の第３ブロックデータＢＤ３を、パーソナルコンピュータ２から通知されたアドレスに対応するクラスタ番号＃５０のクラスタに記録する際、この記録を実行する前に展開ＳＲＢデータの書き換え処理を実行することにより、そのクラスタのクラスタ番号＃５０に対応付けられているビット「０」をビット「１」に書き換える。そしてシステムコントローラ１３は、キャッシュメモリ１１から第３ブロックデータＢＤ３を読み出して、これをディスク４におけるクラスタ番号＃５０のクラスタに記録する。
【０１２８】
この後システムコントローラ１３は、文書データＤ１（ＢＤ１、ＢＤ１、ＢＤ３）が記録された記録先クラスタのアドレス等が示されたＦＡＴデータを、ディスク４のＦＡＴ領域に記録する際、これと同時に展開ＳＲＢデータをディスク４のＤＤＴ領域に書き戻すようになされている。
【０１２９】
このようにして、第２のＳＲＢデータ書き戻しタイミングに設定された記録再生装置１は、ＦＡＴデータをディスク４に対して記録するタイミングに同期して、展開ＳＲＢデータをディスク４のＤＤＴ領域に対して書き戻すようになされている。
【０１３０】
ここで、ＦＡＴシステムに準拠しているパーソナルコンピュータ２は、ディスク４のＦＡＴ領域に記録されているＦＡＴデータに基づいて、ディスク４上に散在するように記録された各ブロックデータＢＤ１、ＢＤ２、ＢＤ３を、まとめて１つの処理単位（文書データＤ１）として認識する。従って記録再生装置１は、少なくともこのパーソナルコンピュータ２の処理単位ごとにディスク４からのデータの読み出しが保障できれば良い。
【０１３１】
この点、第２のＳＲＢデータ書き戻しタイミングに設定された記録再生装置１は、ＦＡＴデータをディスク４に対して記録するタイミング、すなわちパーソナルコンピュータ２の処理単位分のデータ（文書データＤ１）を記録し終えたタイミングで、展開ＳＲＢデータをディスク４のＤＤＴ領域に対して書き戻すようにしたことにより、パーソナルコンピュータ２の処理単位ごとにディスク４に記録されたデータの読み出しを保障することができる上、第１のＳＲＢデータ書き戻しタイミングが設定された場合の記録再生装置１と比べて、展開ＳＲＢデータをディスク４に書き戻す処理の回数が減るので、ディスク４に対するデータ書き込み処理の速度性能を格段と向上させることができる。
【０１３２】
ところでユーザが、記録再生装置１に接続されたパーソナルコンピュータ２を介して、４種類のＳＲＢデータ書き戻しタイミングの中から第３のＳＲＢデータ書き戻しタイミングを選択する設定操作を行うと、これに応じて記録再生装置１のシステムコントローラ１３は、例えばＲＯＭ１５Ａに記憶されている設定情報を書き換える。そしてこの後システムコントローラ１３は、当該書き換え後の設定情報に基づいて、第３のＳＲＢデータ書き戻しタイミングにより、展開ＳＲＢデータをディスク４のＤＤＴ領域に対して書き戻すようになされている。
【０１３３】
ここで図８を用いて、第３のＳＲＢデータ書き戻しタイミングを説明する。記録再生装置１のシステムコントローラ１３は、パーソナルコンピュータ２から、文書データ等のディスク４に書き込むべきデータが順次供給されると、これをレコーディングブロック単位でキャッシュメモリ１１に蓄積する。この結果このキャッシュメモリ１１には、ディスク４に書き込むべきデータとして、複数のブロックデータＢＤ１、ＢＤ２、……が蓄積される。
【０１３４】
システムコントローラ１３は、キャッシュメモリ１１に蓄積された各ブロックデータＢＤ１、ＢＤ２、……をディスク４に記録する際、記録するブロックデータＢＤ１、ＢＤ２、……ごとに展開ＳＲＢデータの書き換え処理を実行しながら、これらブロックデータＢＤ１、ＢＤ２、……をディスク４に対して順次記録する。そしてシステムコントローラ１３は、最初に記録したブロックデータＢＤ１から３０個目のブロックデータＢＤ３０をディスク４に記録し終えたとき、キャッシュメモリ１１に展開されている展開ＳＲＢデータをディスク４のＤＤＴ領域に書き戻す。さらにこの後システムコントローラ１３は、キャッシュメモリ１１に残存しているブロックデータＢＤ３１、……を３０個記録し終えたとき、再び展開ＳＲＢデータをディスク４のＤＤＴ領域に書き戻す。
【０１３５】
このように、第３のＳＲＢデータ書き戻しタイミングに設定された記録再生装置１は、所定数（この場合３０個）のブロックデータＢＤ（ＢＤ１、ＢＤ２、……）をディスク４に記録し終える度に、展開ＳＲＢデータをディスク４のＤＤＴ領域に対して書き戻すようにしたことにより、ディスク４に対するデータ書き込み処理の速度性能を所定レベルに保ちながら、ディスク４に記録したデータの読み出しを所定レベルで保障することができる。
【０１３６】
ところでユーザが、記録再生装置１に接続されたパーソナルコンピュータ２を介して、４種類のＳＲＢデータ書き戻しタイミングの中から第４のＳＲＢデータ書き戻しタイミングを選択する設定操作を行うと、これに応じて記録再生装置１のシステムコントローラ１３は、例えばＲＯＭ１５Ａに記憶されている設定情報を書き換える。そしてこの後システムコントローラ１３は、当該書き換え後の設定情報に基づいて、第４のＳＲＢデータ書き戻しタイミングにより、展開ＳＲＢデータをディスク４のＤＤＴ領域に対して書き戻すようになされている。
【０１３７】
ここで図９を用いて、第４のＳＲＢデータ書き戻しタイミングを説明する。記録再生装置１のシステムコントローラ１３は、パーソナルコンピュータ２から、文書データ等のディスク４に書き込むべきデータが順次供給されると、これをレコーディングブロック単位でキャッシュメモリ１１に蓄積する。この結果このキャッシュメモリ１１には、ディスク４に書き込むべきデータとして、複数のブロックデータＢＤ１、ＢＤ２、……、ＢＤ８０が蓄積される。
【０１３８】
システムコントローラ１３は、キャッシュメモリ１１に蓄積された各ブロックデータＢＤ１、ＢＤ２、……をディスク４に記録する際、記録するブロックデータＢＤ１、ＢＤ２、……ごとに展開ＳＲＢデータの書き換え処理を実行しながら、これらブロックデータＢＤ１、ＢＤ２、……をディスク４に対して順次記録する。そしてシステムコントローラ１３は、キャッシュメモリ１１に蓄積されている全てのブロックデータＢＤ１〜ＢＤ８０をディスク４に記録し終えたとき、キャッシュメモリ１１に展開されている展開ＳＲＢデータをディスク４のＤＤＴ領域に書き戻す。
【０１３９】
このように、第４のＳＲＢデータ書き戻しタイミングに設定された記録再生装置１は、キャッシュメモリ１１に蓄積されている全てのブロックデータＢＤ１〜ＢＤ８０をディスク４に記録し終えたとき、キャッシュメモリ１１に展開されている展開ＳＲＢデータをディスク４のＤＤＴ領域に書き戻すようにしたことにより、第１〜第３のＳＲＢデータ書き戻しタイミングの何れかが設定された場合の記録再生装置１と比べて、展開ＳＲＢデータをディスク４に書き戻す処理の回数を減らすことができ、かくしてディスク４に対するデータ書き込み処理の速度性能を格段と向上させることができる。
【０１４０】
（５）記録再生装置の機能ブロック構成
次に図１０を用いて、記録再生装置１の機能ブロック構成を説明する。因みにこの図１０において示す制御部３０は、システムコントローラ１３に相当する。また本実施の形態の場合、この制御部３０内のＦＡＴ判定部３１、ＳＲＢ制御部３２及びリードライト制御部３３や、その他第１のスイッチ部３４、第２のスイッチ部３５、「０」データ生成部３６等は、ソフトウェア（プログラム）により構成されている。
【０１４１】
例えば第２のＳＲＢデータ書き戻しタイミングに設定されている記録再生装置１は、パーソナルコンピュータ２から、ディスク４に対して書き込むべき１レコーディングブロック分のブロックデータＢＤ１と、当該ブロックデータＢＤ１の記録先を示すデータ記録先信号Ｓ１とが入力されると、当該ブロックデータＢＤ１をキャッシュメモリ１１に蓄積する一方、当該データ記録先信号Ｓ１をＦＡＴ判定部３１及びリードライト制御部３３へ供給する。ここでこのデータ記録先信号Ｓ１には、データの記録先を示すアドレスや当該データのレングス等が示される。
【０１４２】
ＦＡＴ判定部３１は、パーソナルコンピュータ２からデータ記録先信号Ｓ１が供給されると、これをＳＲＢ制御部３２へ供給する。このときＳＲＢ制御部３２は、キャッシュメモリ１１に展開されている展開ＳＲＢデータ（図５（Ａ））を参照し、これによりＦＡＴ判定部３１からのデータ記録先信号Ｓ１に示されているアドレスに対応するクラスタ番号＃４のビットとして、データ未記録クラスタである旨を示す「０」が示されていることを認識すると、そのビット「０」をデータ記録済クラスタである旨を示す「１」に書き換える（図５（Ｂ））。
【０１４３】
またＦＡＴ判定部３１は、パーソナルコンピュータ２からデータ記録先信号Ｓ１が供給された際に、当該データ記録先信号Ｓ１に基づいて、ブロックデータＢＤ１がディスク４のＦＡＴ領域に記録されるべきＦＡＴデータであるか否かを判定する。
【０１４４】
そしてＦＡＴ判定部３１は、かかる判定の結果として、ブロックデータＢＤ１がＦＡＴデータではないことを認識すると、この旨を示す第１の信号Ｓ２をリードライト制御部３３へ供給し、これに対し例えばかかるブロックデータＢＤ１がＦＡＴデータであることを認識すると、この旨を示す第２の信号Ｓ３をリードライト制御部３３へ供給する。
【０１４５】
一方リードライト制御部３３は、第１のスイッチ部３４をデータ記録側端子ａに切り替えた後、パーソナルコンピュータ２からのデータ記録先信号Ｓ１に基づいてキャッシュメモリ１１を制御することにより、このキャッシュメモリ１１に蓄積されているブロックデータＢＤ１を、ディスク４に対して記録する。
【０１４６】
またこのときリードライト制御部３３は、ＦＡＴ判定部３１から第１の信号Ｓ２ではなく第２の信号Ｓ３が供給されていた場合、この第２の信号Ｓ３に基づいてブロックデータＢＤ１がＦＡＴデータであることを認識し、ブロックデータＢＤ１をディスク４に記録するタイミングで、キャッシュメモリ１１に展開されている展開ＳＲＢデータもディスク４のＤＤＴ領域に対して書き戻すようになされている。
【０１４７】
この後パーソナルコンピュータ２が、ディスク４に記録したブロックデータＢＤ１を読み出すべく、当該ブロックデータＢＤ１のアドレス等を示したデータ読出命令信号Ｓ４を記録再生装置１に対して供給すると、このとき記録再生装置１は、このデータ読出命令信号Ｓ４を、リードライト制御部３３へ供給すると共に、ＦＡＴ判定部３１を介してＳＲＢ制御部３２にも供給する。
【０１４８】
このときＳＲＢ制御部３２は、キャッシュメモリ１１に展開されている展開ＳＲＢデータ（図５（Ｂ））を参照し、これによりデータ読出命令信号Ｓ４に示されているアドレスに対応するクラスタ番号＃４のビットとしてデータ記録済クラスタである旨を示す「１」が対応付けられていることを認識すると、このデータ読出命令信号Ｓ４に対応するブロックデータＢＤ１をディスク４から読み出すように依頼するデータ読出依頼信号Ｓ５を、リードライト制御部３３へ供給する。
【０１４９】
これに対しクラスタ番号＃４のビットとしてデータ未記録クラスタである旨を示す「０」が対応付けられていることを認識した場合、ＳＲＢ制御部３２は、「０」データを生成してこれをパーソナルコンピュータ２に取得させるように依頼する「０」データ生成依頼信号Ｓ６を、リードライト制御部３３へ供給する。
【０１５０】
リードライト制御部３３は、ＳＲＢ制御部３２からデータ読出依頼信号Ｓ５を受信した場合、第１のスイッチ部３４及び第２のスイッチ部３５をデータ読出側端子ｂ、ｃに切り替えた後、パーソナルコンピュータ２からのデータ読出命令信号Ｓ４に示されているアドレス等に基づいて、ディスク４からブロックデータＢＤ１を読み出し、これをキャッシュメモリ１１に蓄積する。次いでリードライト制御部３３は、かかるデータ読出命令信号Ｓ４に応じたデータ（この場合ブロックデータＢＤ１）がキャッシュメモリ１１に蓄積された旨を、パーソナルコンピュータ２に対して通知し、これに応じてパーソナルコンピュータ２は、キャッシュメモリ１１からこのブロックデータＢＤ１を取得するようになされている。
【０１５１】
またリードライト制御部３３は、ＳＲＢ制御部３２から「０」データ生成依頼信号Ｓ６を受信した場合、「０」データ生成部３６を制御して「０」データを生成した後、第２のスイッチ部３５を「０」データ生成部側端子ｄに切り替えることにより、当該生成した「０」データをキャッシュメモリ１１に蓄積する。次いでリードライト制御部３３は、かかるデータ読出命令信号Ｓ４に応じたデータ（この場合「０」データ）がキャッシュメモリ１１に蓄積された旨を、パーソナルコンピュータ２に対して通知し、これに応じてパーソナルコンピュータ２は、キャッシュメモリ１１からこの「０」データを取得するようになされている。
【０１５２】
（６）動作及び効果
以上の構成においてこの記録再生装置１は、データが既に記録されたことのあるクラスタ（データ記録済クラスタ）を示すＳＲＢデータをディスク４に記録するようにした。
【０１５３】
これによりこの記録再生装置１が、このディスク４からデータを読み出す際、ディスク４に記録されたＳＲＢデータに基づいて、データが記録されたことのあるデータ記録済クラスタとデータが記録されたことのないデータ未記録クラスタとを判別することができ、かくして何ら信号を読み出すことができないデータ未記録クラスタにアクセスしてしまうことを確実に回避することができる。
【０１５４】
この結果、初期化処理されていないディスク４を用いることに起因した読み出しエラーが発生してしまうことを確実に回避することができる記録再生装置１を実現することができる。
【０１５５】
さらに本実施の形態の記録再生装置１は、パーソナルコンピュータ２からデータ読出命令として入力されたアドレスがデータ未記録クラスタを指定するものであった場合、当該データ未記録クラスタにアクセスせずに、当該データ未記録クラスタにデータが記録されていないことを示す「０」データをパーソナルコンピュータ２に送出するようにした。これにより記録再生装置１は、何ら信号が記録されていないデータ未記録クラスタにアクセスしないので、読み出しエラーになってしまうことを回避することができると共に、かかるデータ読出命令に対応するクラスタにデータが記録されていない旨をパーソナルコンピュータ２に認識させることができる。
【０１５６】
以上の構成によれば、データが既に記録されたことのあるクラスタを示すＳＲＢデータをディスク４に記録するようにしたことにより、このディスク４からデータを読み出す際、ディスク４に記録されたＳＲＢデータに基づいて、データが記録されたことのあるデータ記録済クラスタとデータが記録されたことのないデータ未記録クラスタとを判別することができ、かくして何ら信号を読み出すことができないデータ未記録クラスタにアクセスしてしまうことを確実に回避することができる。
【０１５７】
（７）他の実施の形態
なお上述の実施の形態においては、ディスク状記録媒体として、ＭＤに相当するディスク４を適用する場合について述べたが、本発明はこれに限らず、例えばＣＤ（Compact Disc）等のこの他種々のディスク状記録媒体を適用するようにしても良い。
【０１５８】
また上述の実施の形態において、第２のＳＲＢデータ書き戻しタイミングに設定された記録再生装置１は、ＦＡＴデータをディスク４に対して記録するタイミングに同期して、展開ＳＲＢデータをディスク４に対して書き戻すようにしたが、本発明はこれに限らず、パーソナルコンピュータ２の処理単位分のデータ（文書データＤ１）を記録し終えたタイミングで、展開ＳＲＢデータをディスク４のＤＤＴ領域に対して書き戻すことができれば、ディレクトリエントリデータ等のその他データをディスク４に対して記録するタイミングに同期して、展開ＳＲＢデータをディスク４に対して書き戻すようにしても良い。
【０１５９】
さらに上述の実施の形態では、外部から供給されるデータをディスク状記録媒体に記録する第１の記録手段として、ストレージ部１２及びそれを制御するシステムコントローラ部１３を適用する場合について述べたが、本発明はこれに限らずこの他種々の構成を適用することができる。
【０１６０】
さらに上述の実施の形態では、ディスク状記録媒体（ディスク４）における記録領域（レコーダブル領域）のうち第１の記録手段によりデータが既に記録されたデータ記録済部分（データ記録済クラスタ）を示す記録管理情報（ＳＲＢデータ）をディスク状記録媒体（ディスク４）に記録する第２の記録手段として、ストレージ部１２及びそれを制御するシステムコントローラ部１３を適用する場合について述べたが、本発明はこれに限らずこの他種々の構成を適用することができる。
【０１６１】
さらに上述の実施の形態では、ディスク状記録媒体の記録領域に対してアクセスすることによりデータを読み出すデータ読出手段として、ストレージ部１２及びそれを制御するシステムコントローラ部１３を適用する場合について述べたが、本発明はこれに限らずこの他種々の構成を適用することができる。
【０１６２】
さらに上述の実施の形態では、データ未記録部分（データ未記録クラスタ）に対しデータ読出手段がアクセスしないように当該データ読出手段を制御する制御手段として、システムコントローラ部１３を適用する場合について述べたが、本発明はこれに限らずこの他種々の構成を適用することができる。
【０１６３】
さらに上述の実施の形態では、データ記録装置及びデータ読出装置として、ＭＤに対してデータの記録再生処理を実行する記録再生装置１を適用する場合について述べたが、本発明はこれに限らず、ディスク状記録媒体に対してデータの記録又はデータの再生処理を実行するものであれば、ＣＤプレーヤ等のこの他種々の記録又は再生装置を適用するようにしても良い。
【産業上の利用可能性】
【０１６４】
本発明は、ディスク状記録媒体に対してデータの記録再生処理を実行する記録再生装置等に利用することができる。
【図面の簡単な説明】
【０１６５】
【図１】本実施の形態による記録再生装置の構成を示す略線図である。
【図２】第１の次世代ＭＤのディスク構成及びデータフォーマットを示す略線図である。
【図３】第２の次世代ＭＤのディスク構成及びデータフォーマットを示す略線図である。
【図４】ＳＲＢデータの構成（１）を示す略線図である。
【図５】ＳＲＢデータの構成（２）を示す略線図である。
【図６】第１のＳＲＢデータ書き戻しタイミングの説明に供する略線図である。
【図７】第２のＳＲＢデータ書き戻しタイミングの説明に供する略線図である。
【図８】第３のＳＲＢデータ書き戻しタイミングの説明に供する略線図である。
【図９】第４のＳＲＢデータ書き戻しタイミングの説明に供する略線図である。
【図１０】記録再生装置の機能ブロック構成を示すブロック図である。
【符号の説明】
【０１６６】
１……記録再生装置、２……パーソナルコンピュータ、４……ディスク、１１……キャッシュメモリ、１２……ストレージ部、１３……システムコントローラ、１５Ａ……ＲＯＭ。
【図１】
2005317148.tif 000003
【図２】
2005317148.tif 000004
【図３】
2005317148.tif 000005
【図４】
2005317148.tif 000006
【図５】
2005317148.tif 000007
【図６】
2005317148.tif 000008
【図７】
2005317148.tif 000009
【図８】
2005317148.tif 000010
【図９】
2005317148.tif 000011
【図１０】
2005317148.tif 000012